(57)【要約】【課題】  本発明は、従来の壁装材よりも薄く、滑りやすい新素材の壁装材を糊付する際にシワが発生することがない自動壁紙糊付機を得る。【解決手段】  糊付機本体の後部から引き入れたシート状壁装材を複数のロールによって前方へ搬送しながら壁装材の裏面に連続的に糊を塗布する壁紙糊付機であって、駆動機構により回転駆動される糊付けロールと、この糊付けロールの壁装材搬送上流側で壁装材を糊付機本体内に後部側から取り込むための上下ピンチロールとを備えた壁紙糊付機において、上下ピンチロールの一方のロールが、外径差を０．８ｍｍ以下とするクラウン形状であり、上下ピンチロールの周速と糊付けロールの周速との比率が１：１．２〜１．５であり、上下ピンチロールのピンチ圧が５ｋｇｆ〜７ｋｇｆであり、上下ピンチロールの引き込み荷重が、原反ロールの重量を含まない場合で０．８ｋｇ重より大きくしたもの。【選択図】      図３
2012171227.tif 000002
【特許請求の範囲】
【請求項１】
糊付機本体の後部から引き入れたシート状壁装材を複数のロールによって前方へ搬送しながら前記壁装材の裏面に連続的に糊を塗布する壁紙糊付機であって、
駆動機構により回転駆動される糊付けロールと、この糊付けロールの壁装材搬送上流側で前記壁装材を糊付機本体内に後部側から取り込むための上下ピンチロールとを備えた壁紙糊付機において、
前記上下ピンチロールの一方のロールが、外径差を０．８ｍｍ以下とするクラウン形状であり、
上下ピンチロールの周速と糊付けロールの周速との比率が１：１．２〜１．５であり、
上下ピンチロールのピンチ圧が５ｋｇｆ〜７ｋｇｆであり、
上下ピンチロールの引き込み荷重が、原反ロールの重量を含まない場合で０．８ｋｇ重より大きくしたことを特徴とする自動壁紙糊付機。
【請求項２】
前記クラウン形状の上下ピンチロールの一方のロールのゴム硬度が３５〜４５°であり、他方のロールのゴム硬度が５０〜６０°であることを特徴とする請求項１に記載の自動壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、内装作業現場で専用の壁紙糊付機を用いてシート状の壁装材に連続的に糊を塗布しながら行うのが一般的となっている。この壁紙糊付機の一般的な構成としては、内部に複数のロールが配置された上部構体及び下部構体から主に構成される糊付機本体を脚部に支持された台座上に載置し、上下構体の間に挟み込んだシート状壁装材（以下、クロスとも記す）をロールで搬送しながら糊タンク内に軸支されている糊掻上げロールで糊タンクから糊をすくい上げて糊付けロールに転写し、この糊付けロールによりクロス裏面に塗付していくものである。
【０００３】
壁紙糊付機には作業者がクロスを引き出す手動式と、モータで糊付けロール等を駆動してクロスを引き出す自動式がある。具体的な構成の一例としては、下部構体上に原反ロールから繰り出したクロスを先端部が本体前面に垂れる状態で載置して上部構体を閉じ、下部構体及び上部構体の所定ロール間にクロスを挟み込んだ状態としておく。手動式装置ではクロス先端を作業者が手で持って前方へ引っ張ることによりロールの一部を追従回転させると共に他のロールをギアを介して連動回転させる。
【０００４】
自動式装置では所定のロールの軸を電動モータ等の駆動源に連結して回転させることによって他のロールもギアを介して連動回転するものが一般的である。何れの糊付機もロールの回転でクロスを糊付機本体の後面から前面側へ搬送させる途中で糊タンク内から引き上げられて転写された糊を、糊付ロールの頂点近傍にて該ロールからクロス裏面に糊が転写され、糊塗布済み状態でクロスが前面から送り出されてくるという構成である。
【０００５】
このような壁紙糊付機においては、硬いクロス、軟らかいクロス、重いクロス、軽い（薄い）クロス等の種々のクロスの原反ロールの巻き数が減少しても、クロスにシワ、撓み等が発生することを防止して、良好な糊付施工を行うことができる自動壁紙糊付機を提供するため、糊付機本体後部のピンチロールから内部に引き込む際に、原反ロールの重量を含まない場合で１．３ｋｇ重より大きく、原反ロールの重量を含む場合の引き込み口のピンチロールがスリップする引き込み荷重より小さくした壁紙糊付機（特許文献１参照）を提案した。
【先行技術文献】
【特許文献】
【０００６】
【特許文献１】特開２００５−１４４４４２号公報
【発明の概要】
【発明が解決しようとする課題】
【０００７】
現在、従来から主流であった塩化ビニル壁紙の代替として、環境性に優れた脱塩化ビニル壁紙が開発・製品化されている。当該新素材壁紙は、概して塩化ビニル壁紙より厚みが薄く、糊付機械にて糊付する際、グリップし難いため、糊付作業中にシワが発生することがあった。
【０００８】
本発明は、従来の壁装材よりも薄く、滑りやすい新素材の壁装材を糊付する際にシワが発生することがない自動壁紙糊付機を得ることを目的とする。
【課題を解決するための手段】
【０００９】
請求項１に記載された発明に係る自動壁紙糊付機は、糊付機本体の後部から引き入れたシート状壁装材を複数のロールによって前方へ搬送しながら前記壁装材の裏面に連続的に糊を塗布する壁紙糊付機であって、
駆動機構により回転駆動される糊付けロールと、この糊付けロールの壁装材搬送上流側で前記壁装材を糊付機本体内に後部側から取り込むための上下ピンチロールとを備えた壁紙糊付機において、
前記上下ピンチロールの一方のロールが、外径差を０．８ｍｍ以下とするクラウン形状であり、
上下ピンチロールの周速と糊付けロールの周速との比率が１：１．２〜１．５であり、
上下ピンチロールのピンチ圧が５ｋｇｆ〜７ｋｇｆであり、
上下ピンチロールの引き込み荷重が、原反ロールの重量を含まない場合で０．８ｋｇ重より大きくしたことを特徴とするものである。
【００１０】
請求項２に記載された発明に係る自動壁紙糊付機は、請求項１に記載のクラウン形状の上下ピンチロールの一方のロールのゴム硬度が３５〜４５°であり、他方のロールのゴム硬度が５０〜６０°であることを特徴とするものである。
【発明の効果】
【００１１】
本発明は、従来の壁装材よりも薄く、滑りやすい新素材の壁装材を糊付する際にシワが発生することがない自動壁紙糊付機を得ることができるという効果がある。
【図面の簡単な説明】
【００１２】
【図１】本発明の一実施例の壁紙糊付機の正面図である。
【図２】図１の壁紙糊付機の側面図である。
【図３】図２に示したテンションバー群の他の動作を含む本体部側部断面図である。
【発明を実施するための形態】
【００１３】
本発明においては、上下ピンチロールの一方のロールが、外径差を０．８ｍｍ以下とするクラウン形状であり、上下ピンチロールの周速と糊付けロールの周速との比率が１：１．２〜１．５であり、上下ピンチロールのピンチ圧が５ｋｇｆ〜７ｋｇｆであり、上下ピンチロールの引き込み荷重が、原反ロールの重量を含まない場合で０．８ｋｇ重より大きくすることにより、従来の壁装材よりも薄く、滑りやすい新素材の壁装材を糊付する際にシワが発生することがない自動壁紙糊付機を得ることができる。
【００１４】
本発明で付言する滑りやすい新素材として、従来から主流であった塩化ビニル壁紙の代替として、開発・製品化された環境性に優れた脱塩化ビニル壁紙である。当該新素材壁紙は、概して塩化ビニル壁紙より厚みが薄く、糊付機械にて糊付する際、グリップし難いため、糊付作業中にシワが発生し易い現象があった。
【００１５】
多くの自動壁紙糊付機では、壁装材を挟持して本体内に真直ぐに引き入れるため上下ピンチロールの一方のロールが、ピンチロールの軸の撓みを考慮して中央部をやや膨らませた所謂「クラウン形状」となっている。このクラウン形状の両端部と中央部との外径差が大きければ、壁装材の引き入れの直進性が増すが、中央部と両端部との周速差が生じるために、シワになりやすい。本発明では、外径差を０．８ｍｍ以下とするクラウン形状とする。０．８ｍｍを超えると、糊付けロールに至るまでに極めて薄い新素材の壁装材に皺が発生しやすくなるためである。
【００１６】
また、多くの自動壁紙糊付機では、上下ピンチロールの周速と糊付けロールの周速とで糊付けロールの周速を若干速くしている。これは、上下ピンチロールと糊付けロールとの間で壁装材をピンと張った状態とするためである。この間で壁装材が弛んだ状態であるとドクターロールに壁装材が巻き込まれて糊付け作業の遅延や故障等の原因となるからである。本発明では上下ピンチロールの周速と糊付けロールの周速との比率を１：１．２〜１．５とする。比率が１．２よりも小さいと上下ピンチロールと糊付けロールとの間で壁装材をピンと張った状態とならない場合があるためであり、１．５よりも大きいと糊付けロールによって強く引張られるため、シワになりやすいためである。
【００１７】
このようなクラウン形状及び周速比率である自動壁紙糊付機において、本発明では上下ピンチロールのピンチ圧が５ｋｇｆ〜７ｋｇｆであり、上下ピンチロールの引き込み荷重が、原反ロールの重量を含まない場合で０．８ｋｇ重より大きくすることにより、従来の壁装材に対して厚さが０．３ｍｍ程度と極めて薄く滑りやすい新素材の壁装材であっても糊付けロールに至る前にシワになり難い。
【００１８】
特にクラウン形状の上下ピンチロールの一方のロールのゴム硬度が３５〜４５°(JIS K 6253：A50/15/S)であり、他方のロールのゴム硬度が５０〜６０°では、壁装材に対して良好なグリップが生じ、糊付けロールの前で撓みもなく、シワの発生もない。
【実施例】
【００１９】
１．全体構成
図１は本発明の一実施例の壁紙糊付機の正面図である。図２は図１の壁紙糊付機の側面図である。図３は図２に示したテンションバー群の他の動作を含む本体部側部断面図である。
【００２０】
図１〜図３に示す通り、本実施例の壁紙糊付機は、糊付機本体１と、この糊付機本体１を載置する台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１の両側壁下方の２箇所のフックに各々掛止されるパチン錠１６で固定される。
【００２１】
台座部１５と一対の脚部２とには、左右の脚部２同士が対向するように折りたたみ可能な折りたたみ機構が備わっており、台座部１５と脚部２との折りたたみ部位にはカバー２３が形成されている。尚、このカバー２３の最下部は折りたたみ時に接地する接地部２４が形成されている。
【００２２】
糊付機本体１は、糊桶５を主とする下部構体３とその上に開閉可能に載置される上部構体４とによって構成される。一方の側板１１の下部構体３にはコントローラ６が装着され、下部構体３の後面側には着脱可能なスリッター７が配され、上部構体４はこの下部構体３の上部を覆うように配されている。
【００２３】
図２、図３に示す通り、コントローラ６内の駆動源（図示せず）の駆動軸による糊付けロール３１の回転に伴って、ギアを介して回転運動が伝達された他のロールも回転し、上下部構体３，４間に挟み込まれているロールＲから一端が解けたクロスＣを後方から前方へ搬送し、その途中で糊付けロール３１上を搬送される際に糊桶５から引き上げられた糊がクロス裏面に転写塗布される。
【００２４】
この糊付けロール３１は、下部構体３の左右両側壁面の軸支板に軸支され、できるだけ糊桶５内に沈む下方位置の配置となるように構成されている。また、糊桶５内の糊は糊付けロール３１に当接する糊上げロール５１によって行われ、糊上げロール５１は糊桶５の両側側面に中心より後面側寄りの位置で軸支され、糊桶５内の糊を回転によって掻き上げて糊付けロール３１に転写する。
【００２５】
糊付けロール３１は、糊付機本体１に着脱自在に取付けられる駆動源である電動モータを備えたコントローラ６の駆動軸に連結されている。糊付けロール３１の回転軸は、下部構体３に配置される下ピンチロール３２、ドクターロール３３、均しロール３４及び上部構体４に配置される検尺ロールとして用いられる上ピンチロール４１、押さえロール４２、ドライブロール４３のうちの所定ロールの回転軸とギアを介して連動される。
【００２６】
均しロール３４には、均しロール３４を介して送られて来る糊付済のクロスＣを糊付機本体１の前面に案内するための複数個のツメ５３が長手方向にほぼ均等に装着されたツメステー５４が、両端に配された装着具（図示せず）を介して取付けられている。
【００２７】
尚、壁紙糊付機の両側部には、ドクターロール３３の回動軸に偏心して固定された偏心ギアを駆動するレバー３９を備え、このレバー３９により偏心ギア（図示せず）によって保持されたドクターロール３３の軸端が糊付けロール３１と相対移動され、ドクターロール３３と糊付けロール３１との相対間隔が変化して、糊付けロール３１に付着する糊量を調整できるようになっている。
【００２８】
左右一対の脚部２には、クロス受けブラケット２５が回動自在に配されており、クロス受けブラケット２５の先端部には、原反ロールＲの中心に通されたクロス芯棒２６が軸支されている。
【００２９】
原反ロールＲから繰り出される壁装材（クロス）Ｃは、スリッター７の下方に設置された第１テンションバー６１と第２テンションバー６２とを備えたテンションバー群６３で曲折されながら、スリッター７に搬送され、クロスの両側部が切断される。また、テンションバー群６３とは別の第３のテンションバーとして、後脚２２間に脚部テンションバー６８が架け渡されている。
【００３０】
図３に示す通り、スリッター７は、糊付機本体１の下部構体３の下部フレームの上部の後壁面に開口されたスリッター装着用の開口部内に装着される。スリッター７は後背面の中央部にガイド面部７２が配され、そのガイド面部７２の両端部には糊付機本体から駆動力を得た駆動軸で回動する左右一対の回転刃７１が各々の両端方向に摺動可能に配される。
【００３１】
スリッター７のスリッター装着用の開口部への取付けは、図３に示される開口部内の下部構体３の両側側壁１１の内側壁の下部に形成された被支持部５８で回動自在に支持される支持部７３と、この支持部７３を支点にした回動により両側側壁１１の内側壁の上部に設けられた被掛止部に掛止される掛止部７４とで行われる。即ち、スリッター装着用の開口部の側部を構成する下部構体３の両側側壁１１の内側壁の下部に共に内側方向へ対向して突設された一対の円筒状の被支持部５８が形成され、この被支持部５８を回動の中心として、スリッター７上部を回動し、掛止部７４を被掛止部５９方向へ回動する。
【００３２】
被掛止部５９も、被支持部５８と同様に、スリッター装着用の開口部の側部を構成する下部構体３の両側側壁１１の内側壁の上部に共に内側方向へ対向して突設された一対の円筒状の突起である。掛止部７４は支持部７３を中心にして回動する側が切欠かれた切欠円環を備える。この切欠円環の切欠長さは、切欠円環部の切欠部に隣接する腕部が撓んで着脱可能となる程度に、円筒状の被掛止部の径よりも小さいため、ワンタッチで着脱可能となる。
【００３３】
２．クロスのシワ発生・再現試験
本実施例の自動壁紙糊付機を用いて、クロスのシワ発生・再現試験を行った。使用したクロスは、市販オレフィン系壁紙を用い、接着剤は、ヤヨイ化学工業製の「ルーアマイルド」の５割希釈を用いた。尚、試験環境は気温５℃であった。尚、比較例として従来型自動壁紙糊付機（ヤヨイ化学工業製：「オートフレッシュマンＳ−II」）を用いた。結果を次の表１に示す。
【００３４】
【表１】
2012171227.tif 000003
【００３５】
尚、本実施例の自動壁紙糊付機の上下ピンチロールのピンチ圧は、６Ｋｇであった。送り出しロールとしての下ピンチロールのゴム硬度は３５°であり、下ピンチロールの芯金パイプの外径は２８．６ｍｍであり、ゴム厚は１．６ｍｍであり、両端外径／中心外径はφ３４．２ｍｍ／φ３５ｍｍであった。
【００３６】
検尺ロールとしての上ピンチロールのゴム硬度は５０°であり、上ピンチロールの芯金パイプの外径は３１．８ｍｍであり、ゴム厚は１．６ｍｍであり、外径はφ３８．２ｍｍであった。下ピンチロール（オクリダシロール）と糊付ロールとの周速差は１：１．４０であった。
【００３７】
表１に示す通り、下ピンチロールが、外径差を０．８ｍｍ以下とするクラウン形状であり、下ピンチロールの周速と糊付けロールの周速との比率が１：１．５以下である実施例では、上下ピンチロールのピンチ圧が６ｋｇｆであり、上下ピンチロールの引き込み荷重が、原反ロールの重量を含まない場合で０．８ｋｇ重より大きくした場合に、シワが発生しないことが確認された。
【符号の説明】
【００３８】
１  …糊付機本体、
１５…台座部、
２  …脚部、
２１…前脚、
２２…後脚、
２３…カバー、
２４…接地部、
２５…クロス受けブラケット、
２６…クロス芯棒、
３  …下部構体、
３１…糊付けロール、
３２…下ピンチロール、
３３…ドクターロール、
３４…均しロール、
３９…レバー、
４  …上部構体、
４１…上ピンチロール、
４２…押さえロール、
４３…ドライブロール、
５  …糊桶、
５１…糊上げロール、
５３…ツメ、
５４…ツメステー、
５８…被支持部、
５９…被掛止部、
６  …コントローラ、
６１…第１テンションバー、
６２…第２テンションバー、
６３…テンションバー群、
６８…脚部テンションバー、
７  …スリッター、
７１…回転刃、
７２…ガイド面部、
７３…支持部、
７４…掛止部、
Ｃ  …クロス、
Ｒ  …原反ロール、
【図１】
2012171227.tif 000004
【図２】
2012171227.tif 000005
【図３】
2012171227.tif 000006